(57)【要約】【課題】  ペットが糞尿等の汚物を排泄するたびに洗濯する必要がなく、繰り返し使用することができることで、省力化且つ省コスト化を図ることを可能とするペット用おむつカバーを提供する。【解決手段】  ペットの胴体に着脱自在に装着されるペット用おむつカバー１において、少なくともペットの排泄部に相当する股下カバー部３の裏面に、おむつシートを保持するためのおむつシート保持体１４を設けてなり、しかも該おむつシート保持体１４は、透水性を有する。【選択図】  図１
0003112749.tif 000002
【実用新案登録請求の範囲】
【請求項１】
ペットの胴体に着脱自在に装着されるペット用おむつカバーにおいて、少なくともペットの排泄部に相当する股下カバー部の裏面に、おむつシートを保持するためのおむつシート保持体を設けてなり、しかも該おむつシート保持体は、透水性を有することを特徴とするペット用おむつカバー。
【請求項２】
前記おむつシート保持体は、網状素材で形成されることを特徴とする請求項１記載のペット用おむつカバー。
【請求項３】
前記おむつシート保持体は、おむつシートを覆う大きさに形成され、周縁部には股下カバー部と着脱自在に係合する係合部を設けることを特徴とする請求項１又は２記載のペット用おむつカバー。
【請求項４】
前記股下カバー部は、前記おむつシート保持体の前方に漏れ止め防止用の伸縮性を有する起立片を設けてなることを特徴とする請求項１乃至３の何れか一項に記載のペット用おむつカバー。
【考案の詳細な説明】
【技術分野】
【０００１】
本考案は、ペット用おむつカバーに関する。
【背景技術】
【０００２】
近年、住環境等の生活環境の変化に伴って、犬、猫等のペットを室内で飼育することが多くなっている。しかし、これらのペットが、老衰や事故、病気等によって寝たきりの状態となったり、寝たきりの状態とならなくても、体力の衰えにより日常生活の介護を要する状態となった時、ペットが排泄する糞尿や生理排泄等の汚物（以下、単に「汚物」と言う。）がまき散らされ室内が汚損するのを防止し、また、ペットの生活環境を清潔な状態に保つためにも、排泄された汚物を迅速に回収して始末する必要がある。
【０００３】
また、これらの介護を要するペットにおいては、室内に居る時だけではなく、屋外での散歩等に際しても、汚物のまき散らしによる周囲環境の汚損を防止する必要がある。そこで、室内や周囲環境の汚損を防止するためにペット用のおむつ及びおむつカバー（以下、単に「おむつ等」と言う。）が提供された（特許文献１又は２参照）。
【特許文献１】実開平６−７５１５３号公報
【特許文献２】特開平９−２９８９７１号公報
【考案の開示】
【考案が解決しようとする課題】
【０００４】
しかし、従来のペット用おむつ等は、市販の乳幼児用又は成人用の紙おむつをペット用に改造したものであったり、ペット用紙おむつ等であったため、ペットが排泄を行うたびに汚物と共に捨てる使い捨てタイプのものであった。
【０００５】
このような使い捨てタイプの紙おむつ等の場合、ペットは一日に何度も排泄を行い、特に高齢のペットではその回数が多くなるため、その都度、紙おむつ等を取り替えていると、紙おむつ等の使用量が多くなるのでコストが高くなるという問題があった。
【０００６】
また、乳幼児用の布おむつのように繰り返して使用できる素材のおむつを使用すれば、再利用できるのでコストは低くすることができる。しかし、その場合には、ペットが排泄をするたびに洗濯をしなければならない。従って、洗濯回数が増加するため多くの労力が必要となる。
【０００７】
そこで、本考案は、ペットが汚物を排泄するたびに洗濯する必要がなく、繰り返し使用することができることで、省力化且つ省コスト化を図ることを可能とするペット用おむつカバーを提供することを課題とする。
【課題を解決するための手段】
【０００８】
上記課題を解決すべく、本考案に係るペット用おむつカバーは、ペットの胴体に着脱自在に装着されるペット用おむつカバーにおいて、少なくともペットの排泄部に相当する股下カバー部の裏面に、おむつシートを保持するためのおむつシート保持体を設けてなり、しかも該おむつシート保持体は、透水性を有することを特徴とする。
【０００９】
上記構成とすることで、ペットが汚物を排泄した際に、ペット用おむつカバー自体を捨てたり洗濯する必要はなく、おむつシート保持体に保持されるおむつシートのみを交換することによってペットの排泄した汚物を処理することができるようになる。
【００１０】
また、前記おむつシート保持体は、網状素材で形成される構成とすることが好ましい。
【００１１】
上記構成とすることで、おむつシート保持体の開口率が大きくなることから液体の透水性がさらに良くなり、尿のような液体状の排泄物は、おむつシート保持体を通過しておむつシートに吸収され易くなる。また、糞のような固体状の排泄物の場合は、おむつシート保持体に付着したとしても、開口率が大きいことから固形排泄物とおむつシート保持体との接触面積が小さくなるため取り除き易くなる。
【００１２】
また、前記おむつシート保持体は、おむつシートを覆う大きさに形成され、周縁部には股下カバー部と着脱自在に係合する係合部を設ける構成とすることが好ましい。
【００１３】
上記構成とすることで、おむつシートを安定して保持することができ、また、おむつシートの取り替え作業が容易になる。
【００１４】
また、前記股下カバー部は、前記おむつシート保持体の前方に漏れ出し防止用の伸縮性を有する起立片を設けてなる構成とすることが好ましい。
【００１５】
ペット用おむつカバーを装着した場合、ペットの胴体下部（腹部）に配設される股下カバー部の前端は、ペットの排泄部位置よりも下方に位置するため、おむつシートから漏れ出た汚物、特に尿のような液体状汚物が股下カバー部の前端から外部に漏れ出てくることが懸念される。しかし、上記構成とすることで、おむつシート保持体の前方側に設けられた起立片によって汚物が堰き止められるため、股下カバー部前端から漏れ出てくる汚物を防止できるようになる。尚、本考案において、「上」及び「下」、「前」及び「後」、「左」及び「右」、並びに「表」及び「裏」とは、本考案に係るペット用おむつカバーを装着したペットにおける上下、前後、左右及び表裏方向を言う。
【考案の効果】
【００１６】
以上のように、本考案に係るペット用おむつカバーによれば、ペットが汚物を排泄するたびに洗濯する必要がなく、おむつシートを取り替えるだけで繰り返し使用することができることから、省力化且つ省コスト化を図ることが可能となる。
【考案を実施するための最良の形態】
【００１７】
以下、本考案の一実施形態について、添付図面を参照しつつ説明する。
【００１８】
図１に示す如く、本考案に係るペット用おむつカバー（以下、単に「おむつカバー」と言う。）１は、表面側が布地で、裏面側が不透水性素材で形成された二層構造で、展開時に全体として略Ｔ字のシート状となるように形成されている。このおむつカバー１は、胴体上カバー部２、股下カバー部３、胴体左カバー部４Ｌ及び胴体右カバー部４Ｒから構成される。
【００１９】
前記胴体上カバー部２は、装着状態において、ペット胴体上部（背中部）に配設される。該胴体上カバー部２は、その後部中央に尻尾用貫通孔５が形成され、また胴体上カバー部２の両側縁に沿って面ファスナー（胴体上左係合部、胴体上右係合部）６Ｌ，６Ｒが設けられている。
【００２０】
前記尻尾用貫通孔５は、ペットが尻尾を挿通するための孔であり、おむつカバー１をペットに装着した際に、胴体上カバー部２の後部中央の尻尾に対応する位置に穿設される。この尻尾用貫通孔５は、前方側を円弧とした半円形状に形成され、その周縁部には補強のために縁取り７が設けられている。尚、尻尾用貫通孔５の形状、径の大きさ、及び穿設位置等は、本実施形態に限られず、おむつカバー１が装着されるペットの体型、体格等に応じて適宜決定される。
【００２１】
前記股下カバー部３は、前記胴体上カバー部２の後端に連接され、ペットの臀部から左右の後脚の間を通って、ペットの股下に配設されるように形成されている。該股下カバー部３は、その左右側縁８Ｌ，８Ｒに沿ってゴムバンド９Ｌ，９Ｒが設けられている。該ゴムバンド９Ｌ，９Ｒによって股下カバー部３の左右側縁部は、伸縮可能に構成される。さらに、左右側縁８Ｌ，８Ｒの外側には、レース地（図示せず）で形成され且つその外側先端に細いゴムひもを縫い込んで伸縮可能に構成したギャザー体１０Ｌ，１０Ｒが設けられている。
【００２２】
前記股下カバー部３の前端１１にはゴムひも（図示せず）が縫い込まれており、左右方向へ伸縮可能に構成されている。さらに、該股下カバー部３の前端１１には、該前端１１に沿って、やや後方側へ傾斜して起立し且つ先端１２にゴムひもを縫い込んで左右方向へ伸縮可能に構成された起立片１３が設けられている。
【００２３】
また、前記股下カバー部３の中央部裏面、より詳細には、おむつカバー１を装着した際にペットの排泄部位置に配設されるおむつシート（図示せず）を着脱自在に保持すると共に透水性を有するおむつシート保持体１４が設けられている。
【００２４】
該おむつシート保持体１４は、矩形状のメッシュ地で構成され、周縁部には補強のための縁取り１５が設けられている。さらにおむつシート保持体１４の周縁に沿って面ファスナー（図示せず）が設けられており、この周縁に沿って設けられた面ファスナーは、前記股下カバー部３の裏面における対応する位置に設けられた面ファスナー（図示せず）と着脱自在に係合する。即ち、おむつシート保持体１４は、股下カバー部３と面ファスナーを介して着脱自在に係合する。
【００２５】
前記胴体左カバー部４Ｌ及び前記胴体右カバー部４Ｒは、前記股下カバー部３の前端部から左右に延設され、ペットの左胴及び右胴を巻装できるように形成される。前記胴体左カバー部４Ｌの先端部表面及び基部表面には、それぞれ面ファスナーで構成される左端係合部１６Ｌ及び左腹係合部１７Ｌが設けられる。また、前記胴体右カバー部４Ｒの先端裏面及び基部表面には、それぞれ面ファスナーで構成される右端係合部１６Ｒ及び右腹係合部１７Ｒが設けられる。
【００２６】
次に、図１及び２を参照しつつ、ペットとして犬を例にとって本実施形態に係るおむつカバー１の装着方法を説明する。
【００２７】
まず、おむつカバー１を図１に示すように展開し、おむつシート保持体１４を股下カバー部３から分離する。この時、おむつシート保持体１４は、周縁部に設けられた面ファスナーによって股下カバー部３と係合しているため、周縁部の面ファスナーを係合している股下カバー部３の面ファスナーから全て剥がし、おむつシート保持体１４を股下カバー部３から完全に分離させる。
【００２８】
その後、股下カバー部３のおむつシート保持体１４が取り付けられていた位置におむつシートを置いた後、おむつシート保持体１４の周縁に設けられた前記面ファスナーを股下カバー部３の前記対応する面ファスナーに係合させる。このようにして、おむつシートは、おむつシート保持体１４に覆われた状態で保持される。換言すると、おむつシート保持体１４と股下カバー部３とによって形成される間隙に挟み込まれることで保持される。
【００２９】
尚、おむつシートを挟み込む際、おむつシート保持体１４は、その周縁部に設けられた面ファスナーを股下カバー部３から全て剥がす必要はなく、一部だけを剥がして挿入しても良い。即ち、矩形状のおむつシート保持体１４の四辺のうち、少なくとも一辺の面ファスナーを剥がすことでおむつシートを挿入することができるようになる。このように一部を係合させた状態でおむつシートを挿入すれば、剥がしたおむつシート保持体１４を落とすこともなく、また、挿入するおむつシートは面ファスナー同士が係合している部分に案内されて容易に挿入又は位置決めできるようになる。
【００３０】
おむつシート保持体１４に保持されるおむつシートとしては、表面材層、吸収材層及び防漏材層の三層を備える積層体シートが挙げられる。この積層体シートにおける表面材層は、ポリプロピレン等のポリオレフィン、ポリエステル等の合成樹脂、レーヨン、パルプ等の半天然又は天然材料など、あるいはこれらの複合材料から形成される不織布又は有孔フィルム等で構成されるものである。
【００３１】
また、吸収剤層は、例えば、紙、パルプ、吸水性樹脂等から構成され、この種のおむつシートに用いられるものを適宜適用でき、特に制限されない。
【００３２】
さらに、防漏材層は、例えば、ポリオレフィン、ポリエステル等のフィルム、あるいはそれらのフィルムとポリオレフィン、ポリエステル、レーヨン、パルプ等から選ばれる単一の材料あるいは複合材料から構成される不織布、又はそれらの貼り合わせの複合材料から構成されるものである。
【００３３】
例えば、人間の乳幼児用の紙おむつや犬用の紙おむつを前記おむつシート保持体１４の形状に切り取って使用しても良く、また、ペットのトイレ用シートを切り取って使用しても良い。
【００３４】
そして、おむつシート保持体１４におむつシートを保持させた後、前記胴体上カバー部２を犬の胴体の上部（背中部）に載せつつ尻尾用貫通孔５に犬の尻尾を挿通する。その後、胴体上カバー部２の後端に連接された股下カバー部３を左右の後ろ脚の間を通して股下に配設し、股下カバー部３の前端部左右に延設された前記胴体左カバー部４Ｌ及び前記胴体右カバー部４Ｒを犬の左胴及び右胴に巻装し、前記胴体左カバー部４Ｌ及び前記胴体右カバー部４Ｒの先端にそれぞれ設けられた左端係合部１６Ｌと右端係合部１６Ｒとを互いに係合させる。
【００３５】
この時、左端係合部１６Ｌと右端係合部１６Ｒとを股下カバー部３の前縁と平行、即ち、左右方向に沿って設けると、犬の体格、体型、即ち犬の胴回り寸法に応じて、胴体左カバー部４Ｌの先端と胴体右カバー部４Ｒの先端との重ね合わせ量を調整することができ、股下カバー部３の前縁部が犬の胴回りに密着するように巻装することができるようになる。
【００３６】
さらに股下カバー部３の前縁１１には、ゴムが縫い込まれて左右方向に伸縮できるように形成されているため、より胴回りに密着させることができる。その結果、おむつカバー１は胴体にしっかり密着するように巻装されるため、犬の動きによっておむつカバー１が前後方向にずれるのを防止できる。また、密着することで、かかる部分からの汚物の漏れを防止できる。
【００３７】
そして、股下カバー部３の前縁部には、先端部が左右方向への伸縮性を有する帯状の起立片１３がやや後方に傾斜するように設けられており、該起立片１３によっておむつシートから漏れ出た汚物、特に尿等の液体状の汚物が堰き止められる。その結果、おむつシートから汚物が漏れ出たとしても股下カバー部３の前端から外部へ汚物が漏れ出るのを、より防止できるようになる。
【００３８】
最後に、胴体上カバー部２の左右両側縁に沿って裏面に設けられた面ファスナー６Ｌ，６Ｒを、前記胴体左カバー部４Ｌ及び胴体右カバー部４Ｒの基部表面に設けられた面ファスナー１７Ｌ，１７Ｒへそれぞれ係合させる。
【００３９】
このように係合することによって、前記股下カバー部３の左右の両側縁８Ｌ，８Ｒ及びギャザー体１０Ｌ，１０Ｒは、おむつカバー１を装着した際にループ状となり、犬の後ろ脚用の脚抜き孔が形成される。その際、股下カバー部３の両側縁８Ｌ，８Ｒは、該両側縁８Ｌ，８Ｒに沿って設けられた前記ゴムバンド９Ｌ，９Ｒによって伸縮性を有するため装着時に犬の後ろ脚太股の付け根に密着する。その結果、かかる部分から外部に汚物が漏れ出ることが防止できる。また、ギャザー体１０Ｌ，１０Ｒは、その先端に縫い込まれたゴムひもによって伸縮性を有することから犬の後ろ脚太股に密着し、おむつカバー１が左右にずれるのを防止するずれ止めとしての機能を発揮する。
【００４０】
このように、本実施形態に係るおむつカバー１を犬に装着することで、犬が排泄する汚物がまき散らされ室内が汚損するのを防止しできる。また、犬の生活環境を清潔な状態に保つことができる。さらに、犬が排泄するたびにおむつカバーを捨てたり洗濯したりしなくても、おむつカバー１を犬から脱着しておむつシート保持体１４に保持されているおむつシートを取り替えるだけで、再度犬におむつカバー１は装着できるようになる。
【００４１】
また、股下カバー部３の前端１１や両側縁８Ｌ，８Ｒが伸縮可能に形成されているため、この部分が装着時に犬の胴回り又は後ろ脚太股と密着して、おむつシートから漏れ出た汚物がおむつカバー１の外に漏れ出るのを防止する。特に、股下カバー部３の前端１１は、装着時に犬の胴体下部（腹部）に配設されるため、糞尿等の排泄部位置より低い位置になり、おむつシートから漏れ出た汚物がおむつシート１の外部へ漏れ出ることが懸念される。しかし、股下カバー部３に配設されたおむつシートの前方に起立片１３が設けられることによって、おむつシートから漏れ出た汚物は堰き止められ股下カバー部３の前端から外部への汚物の漏れをより確実に防止できるようになる。
【００４２】
尚、本考案は、上記実施形態のみに限定されるものではなく、本考案の要旨を逸脱しない範囲での種々の変更は可能である。
【００４３】
例えば、本実施形態においては、係合部は面ファスナーで構成されているが、着脱自在な係合手段であれば良く、ボタンやファスナー等であっても良い。
【図面の簡単な説明】
【００４４】
【図１】本考案の実施形態に係るおむつカバーの裏面（内側）を示す展開図である。
【図２】同実施形態に係るおむつカバーの装着状体を示す図である。
【符号の説明】
【００４５】
１…ペット用おむつカバー、２…胴体上カバー、３…股下カバー部、４Ｌ…胴体左カバー部、４Ｒ…胴体右カバー部、５…尻尾用貫通孔、６Ｌ…胴体上左係合部、６Ｒ…胴体上右係合部、１０Ｌ，１０Ｒ…ギャザー体、１３…起立片、１４…おむつシート保持体、１６Ｌ…左端係合部、１６Ｒ…右端係合部、１７Ｌ…左腹係合部、１７Ｒ…右腹係合部
【図１】
0003112749.tif 000003
【図２】
0003112749.tif 000004